(57)【特許請求の範囲】
【請求項１】
屋外に設置される計量器（１０）に対して、その外郭をなし略直方体状で上方に開放されたケース本体（１１）の上部へ着脱自在に取付けられた天板（１２）上に接着された接着マウント（４０）を介して、表示装置（２０）を着脱自在に取付けた表示装置（２０）の取付構造において、
前記接着マウント（４０）を前記天板（１２）の周縁部における端縁（１５）近傍まで拡大して設け、
この接着マウント（４０）の端部に、前記表示装置（２０）の表示部（２１）を起倒自在に連結して可倒式表示装置にするとともに、
起立状態にした前記表示部（２１）の表示面（２２）を、前記天板（１２）の端縁（１５）に沿うように配置したことを特徴とする計量器に対する可倒式表示装置の取付構造。
【請求項２】
前記表示部（２１）は、倒伏時に、平面視で前記天板（１２）の周縁部より内側に重なることを特徴とする請求項１に記載した計量器に対する可倒式表示装置の取付構造。
【請求項３】
前記天板（１２）は周縁部近傍を固定具（１３、１４）にて前記ケース本体（１１）へ取付けられるとともに、
前記接着マウント（４０）は、前記固定具（１４）の一部と重なる位置にまで設けられ、かつ前記固定具（１４）を露出する位置に逃げ部（４２）を有することを特徴とする請求項１に記載した計量器に対する可倒式表示装置の取付構造。
【請求項４】
前記表示装置（２０）は、前記表示部（２１）と、これを起倒自在に連結するサインベース（３０）を備え、
前記サインベース（３０）は前記接着マウント（４０）へ着脱自在に連結されることを特徴とする請求項３に記載した計量器に対する可倒式表示装置の取付構造。
【請求項５】
前記表示部（２１）は、起立状態において、前記表示面（２２）が前記ケース本体（１１）の表面（Ｓ）と面一をなし、かつ倒伏状態では、起立時における前記表示部（２１）の上端（２６）が前記天板（１２）の一端縁（１５）より内側に位置し、下端（２５）が他の端縁（１５）近傍において前記表面（Ｓ）上もしくはその内側近傍に位置することを特徴とする請求項１〜４のいずれか１項に記載した計量器に対する可倒式表示装置の取付構造。
【請求項６】
前記表示部（２１）は、前記ケース本体（１１）の正面側及び背面側へ一対で設けられることを特徴とする請求項１〜５のいずれか１項に記載した計量器に対する可倒式表示装置の取付構造。
【請求項７】
倒伏時に、前記一対の表示部（２１）が互いに重なり合うように折りたたまれることを特徴とする請求項６に記載した計量器に対する可倒式表示装置の取付構造。
【請求項８】
前記一対の表示部（２１）は、それぞれ前記接着マウント（４０）もしくはこの接着マウント（４０）へ着脱自在に取付けられるサインベース（３０）へヒンジで連結されるとともに、
折りたたみ時に下側となる前記表示部（２１）のヒンジ（５０）の高さ（ｈ１）より、上側となる前記表示部（２１）のヒンジ（５１）の高さ（ｈ２）の方が高いことを特徴とする請求項７に記載した計量器に対する可倒式表示装置の取付構造。
【請求項９】
前記サインベース（３０）及び前記接着マウント（４０）は、それぞれ奥行き又は横幅を可変にしたことを特徴とする請求項４に記載した計量器に対する可倒式表示装置の取付構造。
【請求項１０】
前記表示面（２２）を開閉自在に覆う保護カバー（５００）を備えるとともに、この保護カバー（５００）は、回転軸（５８０）により前記表示部（２１）に対して回動可能に連結され、前記表示面（２２）を開放する開いた状態と、前記表示面（２２）を覆う閉じた状態に可変であることを特徴とする請求項１に記載した計量器に対する可倒式表示装置の取付構造。
【発明の詳細な説明】
【技術分野】
【０００１】
この発明は、ガソリンスタンド等における計量器上に取付ける看板等の表示装置に係り、強風時に倒すことができるようにした、屋外設置に適した可倒式表示装置に関する。
ここで、表示装置とは、看板、広告板、サインボード、電子表示板など、種々の情報を表示する表示部を備えた装置であり、屋外に設置される計量器上に設けられるものである。
なお、屋外とは計量器が風を直接受ける環境をいい、屋根があっても風を防ぐ外壁がないような環境を含む。また、強風とは、表示装置を計量器上に存置しておくことが困難となる程度の風速をなすものである。強風の程度は表示装置及びその取付構造等により異なるが、例えば、概ね１０〜１５ｍ／秒程度ものとする。しかし、これに限らず、台風の定義である１７ｍ／秒以上としてもよい。
【背景技術】
【０００２】
屋外に設置されるガソリンスタンド等における計量器は、外郭を金属製のケースで構成され、その上方は利用者の目につきやすい場所のため、表示装置を設けるのに最適の場所となる。そこで、天板の上に表示装置を設けたものがあり、図１７及び図１８はこの例を示す。
【０００３】
図１７は、この表示装置の斜視図である。計量器１００は、略直方体をなすケース本体１１１の上部開口を天板１１２で覆ったものであり、天板１１２は４隅等をボルト等の固定具１１３でケース本体１１１へ固定されている。
天板１１２は平面視で長方形をなし、この長辺側を計量器の正面（背面）とし、短辺側を計量器の左右側面とする。なお、図中に正面をＦＲ、背面をＢＫ、左側面をＬ、右側面をＲで示す。また、正面・背面方向及び左右方向は、これらの符号に向かう矢印で示す。
さらに、左右側面と直交する方向を左右方向ということにする。また、計量器や表示装置等において、横幅とは左右方向の長さであり、奥行き幅とは前後方向（左右方向に直交して正面又は背面へ向かう方向）の長さである。
【０００４】
天板１１２の中央部上には、表示装置２００が設けられている。表示装置２００は、情報を表示する部分であるサインボード２１０と取付脚部３００を有する。サインボード２１０は天板１１２に対して垂直なサイン面２２０を有する。サイン面２２０は情報の表示面であり、長方形をなし、長辺は天板１１２の長辺に沿う横幅をなす。短辺は上下方向に延びて高さをなす。
また、サイン面２２０は、サインボード２１０の前後両面に形成され、計量器１００の正面側及び背面側のいずれからも表示が見えるようになっている。
【０００５】
取付脚部３００とサインボード２１０は、側方視で略倒立したＴ字状をなす。
取付脚部３００は、天板１１２の短辺側から見たとき、サインボード２１０の下端から前後方向へ突出し、天板１１２の長辺側から見たとき、天板１１２の長辺と平行に左右へ長く延び、取付脚部３００の底面は天板１１２と平行になっている。この取付脚部３００が接着マウント４００に対してスライドして嵌合取付けされるようになっている。
接着マウント４００は、平面視が長方形をなし、接着部１１７により天板１１２上へ取付けられている。長辺側は天板１１２の長辺に沿い取付脚部３００の横幅と略同寸になっている。
【０００６】
また接着マウント４００には、スライド突条４１０が上方へ突出し左右方向へ長い凸条として形成されている。このスライド突条４１０は複数が平行に設けられ、それぞれ取付脚部３００に形成されているスライド溝３１０に嵌合する。
スライド溝３１０は、左右方向へ開放され、上方へ凹入し左右方向へ長い凹溝として、複数が平行して設けられている。
【０００７】
表示装置２００は、接着マウント４００を介して天板１１２へ着脱自在に取付けられ、サイン面２２０に過大な風圧を受ける強風時には、サインボード２１０を長辺方向へスライドさせて、取付脚部３００を接着マウント４００のスライド突条４１０から離脱させ、天板１１２上から取り外すようになっている。
【０００８】
また、可倒式の表示装置として、立看板フレームと支持フレーム間をスライドして着脱自在の支持リンクで連結し支持リンクの一端をスライドさせて位置を調整することにより、立看板フレームの起立角度を調整したものがある（特許文献１）。
さらに、表示装置を上側表示部と下側表示部に分離し、上側表示部を可倒式にしたものがある（特許文献２）。
【先行技術文献】
【特許文献】
【０００９】
【特許文献１】特開２００２−９１３２３号公報
【特許文献２】特開２００８−２９７７３０号公報
【発明の概要】
【発明が解決しようとする課題】
【００１０】
屋外設置物であるガソリンスタンドの計量器上は、前述のように看板等の表示装置を設ける場所として好適であるが、計量器は安全上厳格に管理され、これに穿設加工してネジ止めで等物品を後付する場合は、消防法などの法規による規制があり、さらには取付時の加工程度によってはメーカーの保証対象外とされることがある。したがって、後付による表示装置の設置には、穿設加工を要しない接着で取付けることが考えられる。
【００１１】
ところがこの接着による取付けの場合には、屋外設置のため強風による剥離のおそれがあるので、図１７に示した例のように、スライドさせて着脱自在とし、強風時には表示装置を取り外してしまうことが行われている。
しかし、表示装置は比較的大きくかつ重量があり、しかも上方での作業となるので着脱が面倒で手間がかかり、かつ取り外したとき表示装置の保管場所を探して確保しなければならないので、着脱せずに強風を避けるようにすることが望まれる。
【００１２】
また、図１８に示すように、表示装置は天板１１２の中央部に設けられ、しかも、計量器に近接した操作者の目線の高さ程度か、それより高い位置に設けられるから、サイン面２２０の一部は天板の端縁１１５により視界が遮られて下部が見えなくなった。
さらに、このような表示装置は、強風の影響をできるだけ少なくするため、比較的小面積（例えば、天板１１２の面積の数分の１程度）にしなければならず、表示面積の大きさに制約を受けていた。
【００１３】
このため、本来風圧を考慮して小さくしているにもかかわらず、さらに表示装置の視認領域が小さくなってしまうので、表示装置の視認領域がさらに制約されて小さくなり、サインボードの視認効果が減殺された。
そこで、表示装置の視認領域をその全体まで拡大することも求められている。
【００１４】
なお、表示装置を天板の端縁１１５に接近して配置すれば、天板の端縁１１５により視界を遮られる不可領域（図中にハッチングを付したＺで示す領域）を小さくすることができる。しかし、この例では、略倒立したＴ字状をなす取付脚部３００があるので、表示面を可及的に天板の端縁１１５へ接近させることができない。また、計量器１００の正面及び背面の両側から見えるように、天板１１２上の中央部へ設けることが要求されていた。
そのうえ、計量器１００は天板１１２を外してメンテナンスするようになっている。
このため、接着マウント４００を天板の端縁１１５へ接近させて設けることにより、接着マウント４００が固定具１１３を覆うようなことがあると、メンテナンスのため天板１１２を取り外すとき、予め接着されている接着マウント４００を天板１１２から剥離することが必要となる。
【００１５】
しかし、この剥離の際に天板１１２を損傷するおそれがあるため、メンテナンスを考慮すると、接着マウント４００を天板１１２における周辺部まで拡大して固定具１１３を覆わないようにする必要があり、接着マウント４００を天板１１２における周辺部である端縁１１５近傍まで拡大して設けることが難しかった。
【００１６】
なお、特許文献１及び２は、いずれも地上等へ載置により設置されるものであり、接着により計量器上へ設けること、その際に強風時でも着脱することなく、しかも表示面積を大きくするとともに、天板の端縁に制約されずに視認領域の拡大をすることについては、何も意図されていない。
【課題を解決するための手段】
【００１７】
上記課題を解決するため本願発明に係る計量器に対する可倒式表示装置の取付構造は、
屋外に設置される計量器（１０）に対して、その外郭をなし略直方体状で上方に開放されたケース本体（１１）の上部へ着脱自在に取付けられた天板（１２）上に接着された接着マウント（４０）を介して、表示装置（２０）を着脱自在に取付けた表示装置（２０）の取付構造において、
前記接着マウント（４０）を前記天板（１２）の周縁部における端縁（１５）近傍まで拡大して設け、
この接着マウント（４０）の端部に、前記表示装置（２０）の表示部（２１）を起倒自在に連結して可倒式表示装置にするとともに、
起立状態にした前記表示部（２１）の表示面（２２）を、前記天板（１２）の端縁（１５）に沿うように配置したことを特徴とする。
ここで、表示面（２２）を前記天板（１２）の端縁（１５）に沿うように配置するとは、表示面（２２）の横幅方向を端縁（１５）の方向と略平行にし、かつ起立状態における表示部（２１）の下端が端縁（１５）の近傍に位置することである。
【００１８】
表示部（２１）を接着マウント（４０）に対して起倒自在に連結したので、強風時には表示部（２１）を天板（１２）上へ倒すと、強風を回避できる。また、表示部（２１）を天板（１２）上へ倒すだけですみ、着脱を要しない。
また、取り外したときのような表示装置の収納場所が必要なくなる。
このため、強風回避時の操作が容易かつ迅速になる。
そのうえ、表示部（２１）は強風時の風圧を受けないので、表示面（２２）の表示面積を大きくすることができる。
【００１９】
さらに、拡大した接着マウント（４０）の端部に対して表示部（２１）を起倒自在に連結するので、表示部（２１）を天板の端縁（１５）に沿うように配置できる。このため、表示面（２２）を天板の端縁（１５）に沿うように配置でき、天板の端縁（１５）により視界が遮られずに表示面（２２）を見ることができる。したがって、表示面（２２）の有効な表示面積を拡大できる。
なお、本実施例において強風とは、表示面の大きさや取付構造及び設置条件等により、前記例示の如くに適宜決定される。
【発明の効果】
【００２０】
表示部（２１）を接着マウント（４０）に対して起倒自在に連結したので、強風時には表示部（２１）を天板（１２）上へ倒すと、強風を回避できる。また、表示部（２１）を天板（１２）上へ倒すだけですみ、着脱を要しない。
そのうえ、取り外すときのように収納場所を探す必要がなく、倒したままにしておけるので、強風回避時の操作が容易かつ迅速になる。
【００２１】
また、強風時には迅速に表示部（２１）を倒して強風を回避できるので、受風面積を大きくしても強風回避ができる。このため表示部（２１）の表示面積を大きくすることができる。
さらに表示部（２１）を接着マウント（４０）に対して起倒自在に連結することにより、表示部（２１）を天板の端縁（１５）に沿うように配置できる。このため、表示面（２２）を天板の端縁（１５）に沿うように配置でき、天板の端縁（１５）により視界が遮られずに表示面（２２）のほぼ全面を見ることができる。したがって、表示面（２２）の有効な表示面積を拡大できる。
【図面の簡単な説明】
【００２２】
【図１】第１実施例の正面図（表示部起立状態）
【図２】第１実施例の側面図（同上）
【図３】第１実施例の平面図（同上）
【図４】天板の平面図
【図５】上記表示装置の展開斜視図（表示部起立状態）
【図６】図１の６−６断面図
【図７】表示部の折りたたみ方を説明する図
【図８】折りたたんだ状態の平面図
【図９】第２実施例の斜視図（表示部起立状態）
【図１０】第２実施例の平面図（同上）
【図１１】第３実施例の平面図（表示部起立状態）
【図１２】図１１における１２矢示方向図
【図１３】第４実施例に係る表示装置の展開斜視図
【図１４】図１３の表示装置における部分側面図
【図１５】図１４の一部を拡大断面で示す図
【図１６】図１３の取付脚部に対する部分平面図
【図１７】従来例の斜視図
【図１８】上記従来例の側面図
【発明を実施するための形態】
【００２３】
以下、図面に基づいて本願発明の実施の形態を説明する。まず、図１〜図８により第１実施例を説明する。
【００２４】
図１は表示装置を設けた計量器の正面図である。正面は、計量器１０の操作部（給油ノズルや操作パネルなど）が設けられる側である。
なお、正面はより厳密にいうと、ガソリンスタンドの入り口に対面する側であり、背面はその裏側となる。但し、入り口が表裏両側にある場合は、いずれか一方を正面とする。具体的には図１の図示状態を規準とし、図の前面側を正面とする。
【００２５】
計量器１０は、ガソリンスタンドにおいて屋外に設置され、略直方体状で、上方に開放されたケース本体１１を有し、その上部開口は天板１２で覆われている。天板１２はボルト等の固定具１３及び１４（図４）でケース本体１１へ固定されている。
ケース本体１１の下部は、基台部１８を介して床（地面）１９上に設置される。基台部１８はケース本体１１より一回り大きくケース本体１１の周囲へ張り出し、車両等がケース本体１１へ接触することを防いでいる。
【００２６】
ケース本体１１は操作部面１１ａと側面１１ｂを有する。
操作部面１１ａは、計量器１０の正面側及び背面側の両側において給油等の操作ができるように、ケース本体１１の表裏両側に形成される。なお、表裏両側の操作部面１１ａを区別する必要がある場合は、正面側又は背面側を付して区別する。
ケース本体１１の横幅（左右方向の幅）はＷである。
側面１１ｂは左右共通であり、その幅（前後方向の幅）を奥行きＤとする。奥行きＤは横幅Ｗより小さい。
【００２７】
天板１２上には、その正面側及び背面側に対向して設けられる一対のサインボード２１を備えた表示装置２０が設けられている。一対のサインボード２１は、それぞれ天板１２の上に起立して所定の情報を表示する起立位置と、強風時に倒伏して強風を避ける倒伏位置とに可変である。表示装置２０は本願発明における可倒式表示装置の一例である。
【００２８】
表示装置２０は、天板１２上へ着脱自在に取付けられ、本願発明の表示部に相当するサインボード２１とサインベース３０を備える。サインベース３０は、図１７の従来例における取付脚部に相当する機能、すなわちサインボード２１を接着マウント４０（後述）に対して着脱自在に連結する機能を有する部材である。
サインボード２１はサインベース３０に対して起倒自在に連結され、接着マウント４０は天板１２上へ接着部１７（図６参照・詳細は後述）により取付けられる。なお、接着は粘着を含むものとする。
【００２９】
サインボード２１は、操作者に対面し種々な表示内容を表示するサイン面２２（本願発明の表示面に相当する）を備える。サイン面２２は正面視で長方形をなし、横幅をＷ１、高さをＨ１とする。
サインボード２１の横幅Ｗ１は、ケース本体１１の横幅Ｗに対して、Ｗ１＜Ｗであり、サインボード２１の左右端部は、天板１２の左右端部である短辺１６より寸法ｄ１だけ内側へ入っている。
【００３０】
なお、サイン面２２が形成する長方形の４辺のうち、横幅方向が長辺をなし、高さ方向が短辺をなす。これらの４辺はサイン面２２の周縁部をなす。また、長辺１５及び短辺１６はそれぞれ天板１２における端縁でもある。
さらに、天板１２の平面視において、周縁部より天板１２の中央方向側を内側、反対側を外方という。さらに、天板１２へ重なる他部品についても、その内外は、天板１２の内外を規準とするものとする。
【００３１】
また、サイン面２２は、サインボード２１において、表示のために大部分の面積を占める部分（本体部）のうち、表示内容を表示する表側（操作者に対面する側）の面であり、その反対面をサイン面２２の裏面とする。
なお、サイン面２２のサイン面積はＷ１×Ｈ１であり、本実施例においては、天板の面積Ｗ×Ｄに対して１／２以上の大きなものになっている。但し、サイン面２２のサイン面積は天板の面積を越えない範囲で自由に設定できる。
【００３２】
サインベース３０は、接着マウント４０に対して、ネジ等の固定具３７で接着マウント４０へ着脱自在に取付けられている。固定具３７を外すと、表示装置２０は、サインボード２１とサインベース３０が一体となって、接着マウント４０（天板１２）から取り外すことができる。
【００３３】
図２は図１の側面方向から表示装置を設けた計量器を示す図である。
ケース本体１１の奥行きは、天板１２の奥行きと同じＤである（図４参照）。
サインボード２１は、ケース本体１１の正面及び背面に沿って一対をなして設けられる。
背面側（図の左側）のサインボード２１は、下部がサインベース３０の第１支持突起３３に取付けられている。
【００３４】
正面側（図の右側）のサインボード２１は下部がサインベース３０の第２支持突起３４に取付けられている。
両サインボード２１におけるサイン面２２間の距離であるサイン面間距離は、ほぼ天板１２の奥行きＤに等しい。サインボード２１の横幅Ｗ１は天板１２の横幅Ｗより小さい。但し、Ｗと同程度にすることは自由である。高さＨ１は、サイン面間距離Ｄより小さく設定される。
サインベース３０及び接着マウント４０はそれぞれ平面視で略長方形かつ略同寸であり、サインベース３０が接着マウント４０の上に重なっている。
【００３５】
サインベース３０の横幅Ｗ２はサインボード２１の横幅Ｗ１（図１）と略同程度であり、奥行きＤ２は天板１２の奥行きＤより小さい。具体的には、対向する一対のサインボード２１の各上下部裏面間の距離程度である。この裏面間距離は、Ｄよりサインボード２１の厚さ（最大厚）Ｔの２倍程度を減じたものに相当する。
【００３６】
接着マウント４０の奥行き及び横幅は、サインベース３０の奥行きＤ２及び横幅Ｗ２とほぼ同程度である。実際は、接着マウント４０の正面側及び背面側各外側にサインベース３０が重なるため、サインベース３０の板厚の２倍程度Ｄ２よりも小さい。
両サインボード２１は、それぞれ起立状態（図示実線状態）と、サインベース３０の上方、すなわち天板１２の上方へ重なるように倒れる倒伏状態（図示仮想線状態）の２位置へと変化可能である。
【００３７】
両サインボード２１の起立状態では、第１サポート６０及び第２サポート６１で倒伏しないように支持され、起立状態を維持される。
第１サポート６０及び第２サポート６１はそれぞれ、サインベース３０とサインボード２１を斜めに連結するリンク部材であり、いずれも２つ折り可能になっている。
【００３８】
第１サポート６０及び第２サポート６１をそれぞれ直線状に伸ばすと、サインボード２１を起立状態にしてその状態を維持して倒伏を防ぐ。
一方、２つ折り状に曲げると、サインボード２１を倒伏させることができる。
【００３９】
図３は図１の上方から表示装置を設けた計量器を示す図である。
一対のサインボード２１は、それぞれ天板１２の長辺１５に沿って配置されている。
各サインボード２１は、サインベース３０の第１支持突起３３及び第２支持突起３４へ第１ヒンジ５０又は第２ヒンジ５１で連結されている。
【００４０】
サインベース３０の正面側及び背面側端部は、それぞれ天板１２の長辺１５に沿い、かつ長辺１５からサインボード２１の板厚Ｔ程度内側へ入っている。したがって、サインベース３０の奥行きＤ２は、Ｄ２＝Ｄ−２Ｔ程度になる。
【００４１】
第１支持突起３３は、サインベース３０の背面側端部に沿って、横幅Ｗ２と同程度の長さで左右方向へ長く設けられる。
第２支持突起３４は、サインベース３０の正面側端部に沿って、横幅Ｗ２と同程度の長さで左右方向へ長く設けられる。
【００４２】
なお、サインベース３０の横幅Ｗ２は、サインボード２１の横幅Ｗ１とほぼ同じであり、天板１２の横幅Ｗより、寸法ｄ１の２倍を引いたものに相当する。このため、サインボード２１及びサインベース３０の左右両側には、寸法ｄ１なる比較的幅のあるスペースが設けられ、ここに第１サポート６０及び第２サポート６１が配置されている。
【００４３】
図４は、天板１２の平面を示す。天板１２は平面視で長方形をなし、長辺１５と短辺１６を有する。長辺１５は正面側及び背面側の端部をなし、両長辺１５間の長さは奥行きＤである。
短辺１６は左右の端部であり、両短辺１６間の長さは横幅Ｗである。
【００４４】
天板１２は４隅を固定具１３でケース本体１１へ固定されるとともに、その内側であるサインベース３０が設けられる範囲内に設けられた別の固定具１４でも固定されている。固定具１４は固定具１３よりも内側に設けられるが、長辺１５に沿ってその近傍に配置されている。
本実施例では、固定具１４はサインベース３０が設けられる範囲内に設けられる点で、固定具１３と相違する。固定具１３はサインベース３０が設けられる範囲外に配置されている。
【００４５】
固定具１４は複数設けられ、正面側及び背面側の長辺１５近傍において、長辺１５に沿って横幅方向に並んで設けられる。
なお、固定具１４の数や配置は種々可能である。
【００４６】
次に、図５及び図６を中心に表示装置をより詳細に説明する。
図５は、図１及び図２の状態（サインボード２１の起立状態）における構成各部の展開斜視図である。図６は図１の６−６線に沿う断面図である。
【００４７】
サインボード２１は、金属板をプレス成形し、上下部分をサイン面２２の裏側へ間隔を持って重なるように折り返して折り曲げ部として、サインボード２１を軽量かつ高剛性に構成したものである。上下の折り曲げ部は、サインボード２１の裏面（サイン面２２の反対面）側における下部の裏下縁部２３及び上部の裏上縁部２４をなす。裏下縁部２３の下端面がサインボード２１の下端２５となる。裏上縁部２４の上端面がサインボード２１の上端２６となる。
【００４８】
サイン面２２は横長の長方形をなし、正面視で下端２５及び上端２６に沿って横幅方向へ延びる直線部分が長辺２２ａをなす。また横幅方向の左右両端に沿って上下方向に延びる（図１の起立状態の場合）直線部分が短辺２２ｂをなす。左右の短辺２２ｂのうち、各高さ方向中央部には、リンク支持部２７が短辺２２ｂから外方へ突出し、かつ裏面側へ突出して形成されている。リンク支持部２７は第１サポート６０及び第２サポート６１の軸支部をなす。
【００４９】
サインボード２１の下端２５及び上端２６は、高さＨ１方向における両端部について、それぞれサインボード２１の起立状態を基準にして上下を表現した呼称である。
サインボード２１の倒伏状態では、下端２５及び上端２６はそれぞれ上下でなく正面側又は背面側に位置する。例えば、背面側におけるサインボード２１では、下端２５が背面側に位置し、上端２６は正面側に位置する。但し、本願では理解を容易にするため、倒伏状態でも、下端２５及び上端２６の語をそのまま使用する。
【００５０】
本実施例では、サインボード２１をなす金属板を磁石が吸着可能な特殊ステンレス製である。このようにすると、サインボード２１を錆びにくくするとともに、サイン面２２にポスターなどの紙製表示物を磁石で簡単に取付けることができる。
但し、表示物は紙製に限らず、布製、樹脂製、金属製、木製等が種々可能である。
【００５１】
なお、サイン面２２は表示物を磁石で取付けず、接着等で取付けることもできる。
また、サイン面２２に直接ペイント等で表示内容を表現することもできる。
さらに、サインボード２１は他の金属にすることもでき、樹脂製や木製にすることもできる。製法は材料により適宜好適なものが採用される。
【００５２】
さらに、サインボード２１を単一材料から一体に形成したものでなく、液晶パネル等を組み込んで電子式に表示する電子式表示装置や、ＬＥＤなどの光源でポスターなどの印刷物を裏面から照明する照明看板などの電気的なユニット装置でもよい。
【００５３】
サインベース３０は、一般的なステンレス板を、側方視で下方に開放された略コ字状に成形したものであり、中央に設けた平坦な本体部３１と、正面側及び背面側の各端部を下方へ折り曲げて垂下させたフランジ３２を有する。
【００５４】
本体部３１の背面側の端部及び正面側の端部に沿って配置された第１支持突起３３及び第２支持突起３４は、それぞれ側方視で下方に開放された略コ字状をなす。
第１支持突起３３は、上下方向に延びる一対の縦壁３３ａと、両縦壁３３ａの上端を略水平に連結つなぐ横壁３３ｂを有する。
第２支持突起３４も同様に一対の縦壁３４ａと横壁３４ｂを有する。
【００５５】
縦壁３３ａ及び縦壁３４ａの各下端は、本体部３１上へ溶接やネジ止め等の適宜手段で取付けられている。
第１支持突起３３の横壁３３ｂ上には、第１ヒンジ５０が横幅方向へ間隔を持って２個取付けられ、それぞれ背面側のサインボード２１を第１支持突起３３へ回動自在に連結している。
第２支持突起３４の横壁３４ｂ上にも、第２ヒンジ５１が横幅方向へ間隔を持って２個取付けられ、それぞれ正面側のサインボード２１を第２支持突起３４へ回動自在に連結している。
なお、第１ヒンジ５０及び第２ヒンジ５１の数は任意である。
【００５６】
本体部３１から突出する第１支持突起３３及び第２支持突起３４の各突出高さは異なっており、第１支持突起３３の突出高さｈ１より、第２支持突起３４の突出高さｈ２の方がΔｈだけ高くなっている（図６参照）。Δｈは第１ヒンジ５０における軸筒部５０ａの外径にほぼ相当する。
【００５７】
このようにすることにより、最初に倒した背面側のサインボード２１をほぼ水平に寝かせることができ、その上に後から正面側のサインボード２１を倒伏させて、同様にほぼ水平に寝かせて重ねることができる。但し、正面側のサインボード２１をほぼ水平に寝かせるためには後述する第２ヒンジ５１の設定を必要とする。
【００５８】
本体部３１上の第２支持突起３４近傍には、側方視で下方に開放された略コ字状をなすストッパ３５が横幅方向へ間隔を持って２個設けられている。ストッパ３５は、背面側のサインボード２１を倒伏したとき、略水平に寝かせた状態で上方の裏上縁部２４を当接支持し、倒伏状態にあるサインボード２１のさらなる回動を阻止するための部材である。
【００５９】
ストッパ３５の高さは、第１支持突起３３より略Δｈ高くなっており、第２支持突起３４の突出高さｈ２と略同程度になっている。
なお、ストッパ３５の数や配置は自由であり、例えば、第２支持突起３４と平行する一本の長尺部材としてもよい。
【００６０】
本体部３１における左右の短辺のうち、各奥行き方向中央部には、センター支持部３６が短辺から外方へ突出し、かつ上方へ突出して形成されている。センター支持部３６はサポート６０及びサポート６１の共通軸支部をなす。
【００６１】
接着マウント４０は、サインベース３０と逆に、一般的なステンレス板を側方視で上方に開放された略コ字状に曲げて成形したものであり、接着マウント４０は平面視で略長方形の本体部４１をなす。本体部４１の横幅及び奥行きは、前述した通り、サインベース３０の横幅Ｗ２、奥行きＤ２とほぼ同じである。
本体部４１の正面側及び背面側端部近傍において、各長辺に沿って複数の逃げ部４２が横幅方向に形成されている（図６参照）。
【００６２】
逃げ部４２は、各固定具１４を露出させるための、固定具１４の頭部より大きな径の穴である。但し、逃げ部４２は穴でなく、切り欠き状の凹部や、個々の固定具１４毎に独立せず、複数の固定具１４が臨む長穴でもよい。また、固定具１４の配置が異なる複数の機種に対応できるように、より多くの逃げ部４２を設けて汎用性を持たせてもよい。
【００６３】
接着マウント４０を天板１２の上へ接着して固定したとき、接着マウント４０が固定具１４を覆う領域に拡大されているにもかかわらず、逃げ部４２から固定具１４の頭部が露出している。
そこでドライバーのような工具４５を逃げ部４２内へ差し込み、固定具１４を取り外すことができる。
【００６４】
したがって、接着マウント４０を天板１２の上へ接着したままの状態で、天板１２を外してケース本体１１の内部をメンテナンスできる。また、天板１２の取付けも、同様に接着マウント４０を天板１２の上へ接着したままの状態で固定具１４を操作しておこなうことができる。
【００６５】
本体部４１の奥行き方向では、正面側及び背面側の端部から上方へ折れ曲げられた縦壁４３が設けられる。縦壁４３の外側にはフランジ３２が重なり、ネジ等の固定具３７で固定される。これにより、サインベース３０が接着マウント４０に対して着脱自在に取付けられる。
各縦壁４３の上端は略水平に内側へ折り曲げられた上フランジ４４をなし、ここにサインベース３０の本体部３１が重なって支持される。
【００６６】
ここで、縦壁４３の外側及び内側とは、接着マウント４０の平面視において、縦壁４３より接着マウント４０の中央側を内側、反対側を外側という。
なお、対向する縦壁４３間の距離はほぼサインベース３０の奥行きＤ２であるが、正確には、縦壁４３がフランジ３２の内側へ重なるようになるため、その分だけサインベース３０の奥行きＤ２より若干短くなっている。
【００６７】
図６に示すように、接着マウント４０は接着部１７で天板１２へ接着される。本実施例における接着部１７は市販されている建設用の両面粘着テープである。この両面粘着テープを用いることにより、施工性を向上させることができる。また、仮に接着マウント４０を天板１２から剥離する必要が生じたときは、塗装等天板１２側を傷めずに剥離させることができる。
但し、粘着でなく接着によることも可能である。粘着材や接着剤は市販のものを種々選択可能である。
【００６８】
第１ヒンジ５０は、回転軸５２で羽５３と５４を相対的に回動自在となるように連結した平ヒンジである。但し、ヒンジは平ヒンジ以外の種々なものが使用可能である。
羽５３と５４の連結部にはそれぞれ軸筒部５０ａが設けられ、これらの軸穴を一致させた状態の軸筒部５０ａへ回転軸５２が抜き差し自在に差し込まれている。羽５３は横壁３３ｂへネジ止め等で連結され、羽５４が裏下縁部２３へネジ止め等で連結される。
サインボード２１の起立状態で、羽５３と５４は、略９０度開いた状態にされる。また、サインボード２１の倒伏状態では、羽５３と５４が上下方向で平行に重なる閉じた状態になる。
【００６９】
第１ヒンジ５０は、高さｈ１なる第１支持突起３３の上に設けられ、第１ヒンジ５０が略９０度開いたサインボード２１の起立状態では、裏下縁部２３が縦壁３３ａの外側に重なり、図示状態においてサインボード２１が反時計回り方向へ回動することを停止できるように設定される。
【００７０】
また、回転軸５２の位置は、裏下縁部２３へ接近した横壁３３ｂの外方側端部に配置され、サインボード２１の起立状態で、サイン面２２がケース本体１１の背面(正面)を示す表面Ｓとほぼ重なる面一となり、倒伏状態では下端２５の下端面が表面Ｓと面一になるように設定されている。
なお、表面Ｓは、図示断面ではケース本体１１の背面(正面)を上方へ延長した直線で示されるが、ケース本体１１の背面(正面)を延長した平面である。
【００７１】
第２ヒンジ５１は、回転軸５５で羽５６と５７を相対的に回動自在となるように連結した平ヒンジである。但し、ヒンジは平ヒンジ以外の種々なものが使用可能である。
羽５６は横壁３４ｂへネジ止め等で連結され、羽５７の取付部５８が裏下縁部２３へネジ止め等で連結される。
【００７２】
羽５６と５７の連結部にはそれぞれ軸筒部５１ａが設けられ、これらの軸穴を一致させた状態で軸筒部５１ａに回転軸５５が抜き差し自在に差し込まれている。羽５６及び５７はそれぞれ回転軸５５の接線方向へ延出している。羽５７は回転軸５５の接線方向へ延出する基部５７ａを備え、さらに基部５７ａの先端側が略９０度折り曲げられて連続する取付部５８をなしている。
【００７３】
基部５７ａの長さ（回転中心から裏下縁部２３へ向かって延出する長さ）ｓは、第２ヒンジ５１の回転中心（回転軸５５の中心）と、羽５７の取付部５８における裏下縁部２３に当接する面との距離である。基部５７ａの長さｓは羽５６の長さよりも長い。
このため、回転軸５５の中心から、横壁３４ｂ又は裏下縁部２３との連結部までの距離が異なり、裏下縁部２３の方が略基部５７ａの長さｓ程度回転中心から離れて連結されている。
【００７４】
羽５６と羽５７は、回転軸５５を中心に反対方向へ回動し、羽５６と羽５７の基部５７ａが略１８０度開いて略水平となる全開状態と、羽５６と羽５７の基部５７ａとが接近方向に回動して略９０度をなす閉じた状態とに変化可能である。
図６に示す状態はヒンジの全開状態であり、サインボード２１は起立状態になる。一方、図７（Ｂ）に実線で示す状態はヒンジの閉じ状態であり、サインボード２１は倒伏状態になる。
【００７５】
なお、ヒンジを閉じてサインボード２１を倒伏させた状態では、羽５７の取付部５８と羽５６とが平行する状態になり、サインボード２１の裏下縁部２３が横壁３４ｂと平行になる。このとき、裏下縁部２３と横壁３４ｂとの間隔は裏上縁部２４部分におけるサインボード２１の厚さ程度になっている（図７（Ｂ）参照）。
なお、この横壁３４ｂと裏下縁部２３との間隔は、上記した羽５７の長さｓに、羽５６の板厚及び回転軸５５の半径を加えたものと同程度になる。
【００７６】
回転軸５５の位置は、第１ヒンジ５０の回転軸５２に比べて、横壁３４ｂの外方側端部から内側へ基部５７ａの長さｓ程度引き込まれたオフセット配置にされている。このオフセット配置により、サインボード２１の起立状態で、サイン面２２がケース本体１１の表面Ｓとほぼ重なる面一となり、倒伏状態では下端２５が表面Ｓと面一になるように設定されている。
また、この回転軸５５の位置は、サインボード２１の倒伏状態で下端２５が表面Ｓから正面側へ突出しないように設定されている。
【００７７】
なお、起立状態におけるサインボード２１は、縦壁３３ａ及び３４ａにより回り止めされる。すなわち図６において、正面側のサインボード２１は、裏下縁部２３が縦壁３４ａの外側に重なり、図示状態にてサインボード２１が時計回り方向へ回動することを停止できるようになっている。
背面側のサインボード２１も同様であり、裏下縁部２３が縦壁３３ａの外側に重なり、図示状態にてサインボード２１が反時計回り方向へ回動することを停止できるようになっている。
【００７８】
サポート６０及びサポート６１はそれぞれ、中間軸６２で連結される第１リンク６３と第２リンク６４からなるリンク部材である。
サポート６０及びサポート６１は、第１リンク６３が第１軸６５で背面側又は正面側のサインボード２１のリンク支持部２７へ回動自在に連結され、第２リンク６４が第２軸６６でセンター支持部３６へ連結される。
【００７９】
第１リンク６３と第２リンク６４を直線状に伸ばせば、サインボード２１と本体部３１を斜めに連結して起立状態を維持できる。
また、中間軸６２で第１リンク６３と第２リンク６４を接近方向に折りたためば、サインボード２１を倒伏させることができる。
【００８０】
なお、第１支持突起３３、第２支持突起３４及びストッパ３５並びにサポート６０及びサポート６１はそれぞれ、サインベース３０及び接着マウント４０と同様の一般的なステンレスで構成される。但し、サインベース３０及び接着マウント４０を含むこれらの構成材料はステンレスに限らず、他の金属、樹脂、木材等が種々可能である。
【００８１】
図７はサインボード２１の折りたたみを説明する。
図７の（Ａ）は、背面側のサインボード２１を倒伏状態にした状態を示す。
図６の起立状態から、背面側のサポート６０を折りたたみ、回転軸５２を中心にサインボード２１を時計回り方向へ略９０度回動させて略水平にすると、裏上縁部２４がストッパ３５に当接支持され、回動が停止される。
このとき背面側のサインボード２１は、下端２５が表面Ｓと重なり、天板１２の外方へ張り出さない。
【００８２】
続いて、図７の（Ｂ）に示すように正面側のサインボード２１を倒伏状態にする。このとき、正面側のサポート６１を折りたたみ、回転軸５５を中心にサインボード２１を反時計回り方向へ略９０度回動させて略水平にすると、正面側サインボード２１の裏上縁部２４が背面側のサインボード２１の上へ重なって回動が停止される。
これにより、正面側及び背面側の双方のサインボード２１が折りたたまれた状態になる。
このとき正面側のサインボード２１は、下端２５が表面Ｓと重なり、天板１２の外方へ張り出さない。
【００８３】
なお、折りたたみ状態を固定するための折りたたみロックを設けることができる。この一例を図７の（Ｂ）中に示す。このロック構造は、図中の丸囲みした拡大部ａに展開状態で示すように、ロックピン９０を設け、サインベース３０より上方へ突出しているロックステー９１の上端部に設けられたロック穴９２と、サインボード２１側のロックブラケット９３に設けられたロック穴９４を一致させ、これらのロック穴９２・９４にロックピン９０を差し込むことにより、サインボード２１は折りたたみ状態でロックされる。
【００８４】
ロックブラケット９３は、折りたたみ時に上側となる正面側のサインボード２１に設けられ、例えばその上部側面に設けられる。
また、このロック構造は、上記に限らず、種々のロック機構を採用可能である。
【００８５】
図８は図７の（Ｂ）における平面視状態を示す。理解を容易にするため、正面側及び背面側のサインボード２１にそれぞれ異なるハッチングを付してある。
この図に示すように、双方のサインボード２１は下端２５が、図示される表面Ｓを示す直線に対して、その上もしくは若干内側にあり、天板１２の周縁部より内側に収容されて天板１２の上方へ重なり、周縁部より外方へ張り出さないようになっている。
また、サポート６０及びサポート６１が、サインボード２１及びサインベース３０並びに接着マウント４０の横幅方向外方へ配置されているため、各サインボード２１の折りたたみを容易にする。
【００８６】
次に、本実施例の作用を説明する。
図６に示すように、特定以上の強風でない通常時には、正面側及び背面側のサインボード２１を起立状態とし、サポート６０及びサポート６１を伸ばすことにより、各サインボード２１は起立状態を維持される。
【００８７】
そこで、各サインボード２１のサイン面２２へ表示物を磁石で止める等、適宜表示をおこなう。このとき、サインボード２１が天板１２の長辺１５近傍に沿って配置され、表面Ｓと面一になるように配置される。このため、サイン面２２は天板１２の端縁（長辺１５）に視界を遮られることなくほぼ全面を視認できる。
【００８８】
したがって、サイン面積を大きくでき、しかも操作者の視認性を向上できる。
そのうえ、各サインボード２１のサイン面２２は、ケース本体１１の操作部面１１ａの表面Ｓとほぼ面一になるので、計量器１０の周囲における突出物の形成を阻止できるとともに、外観的にサイン面２２をケース本体１１の操作部面１１ａの表面Ｓと一体化して外観の煩雑感を無くすことができる。
【００８９】
強風になりそうなときは、正面側及び背面側のサインボード２１を倒伏させる。すなわち、まず図７の（Ａ）に示すように、背面側のサインボード２１を倒伏させる。このとき、背面側の第１サポート６０を折り曲げると、サインボード２１は第１ヒンジ５０の回転軸５２を中心に回動可能になり、サインベース３０の本体部３１の上へ向かって重なるように回動する。先端側の裏上縁部２４がストッパ３５へ当接すると、回動を停止し、略水平の倒伏状態に支持される。
【００９０】
続いて、図７の（Ｂ）に示すように、正面側のサインボード２１を倒伏状態にする。このとき、正面側の第２サポート６１を折りたたむと、第２ヒンジ５１の回転軸５５を中心にサインボード２１が回動可能になる。そこでサインボード２１を反時計回り方向へ略９０度回動させて略水平にすると、背面側のサインボード２１の上へ重なり、かつ回動が停止されて、略水平の倒伏状態に支持される。
【００９１】
これにより、正面側及び背面側の双方のサインボード２１が折りたたまれた状態になるので、受風面積が著減し、強風による接着マウント４０の剥離を防ぐことができる。
すなわち、サインボード２１を回動可能にすることにより、強風下でも表示装置を取り外す必要がなくなり、サインボード２１を迅速かつ容易に倒伏させることができる。
しかも、取り外したサインボード２０を保管しておくための収納スペースも不要になる。
また、折りたたみ時において、各サインボード２１は天板１２の内側に収容されるため、天板１２から外方へ突出させないようにでき、計量器１０の周囲における突出物の形成を阻止できる。
【００９２】
ケース本体１１内をメンテナンスするときは、図６において、固定具３７を外し、サインベース３０のフランジ３２を接着マウント４０の縦壁４３から分離する。これにより、表示装置２０は、サインボード２１及びサインベース３０を一体にして天板１２上から取り外すことができる。なお、この取り外しにおいて、一対のサインボード２１を起立させたままとするか、予め倒伏して図７の（Ｂ）に示すおりたたみ状態にするかは任意である。
【００９３】
表示装置２０を取り外すと、天板１２上に接着マウント４０が接着された状態で残されている。この状態で天板１２を取り外すには、固定具１３及び１４を取り外す必要がある。
このうち、４隅に設けられた固定具１３は、接着マウント４０の外側に位置するため、接着マウント４０の存在に邪魔されず、容易に取り外すことができる。
【００９４】
このとき、接着マウント４０は、固定具１４が設けられている領域を含めて天板１２の奥行き方向端部近傍まで拡大して設けられている。
ところが、接着マウント４０の逃げ部４２には固定具１４の頭部が露出しているので、工具４５を逃げ部４２へ入れて、固定具１４を取り外すことができる。
【００９５】
これにより、接着マウント４０を天板１２上へ接着させたままの状態で、天板１２及び接着マウント４０を一体に取り外すことができる。
接着マウント４０を剥離させる必要がないので、そのような手間がなくなり、かつ剥離に伴う天板１２側の損傷を避けることができるので、メンテナンス性が向上する。
【００９６】
次に、本実施例の効果を説明する。
まず、サインボード２１を接着マウント４０に対して起倒自在に連結したので、強風時にはサインボード２１を天板１２上へ倒すと、強風を回避できる。また、サインボード２１を天板１２上へ倒すだけですみ、着脱を要しない。このため、強風時にもサインボード２１を取り外さないので、取り外したときのような表示装置の収納場所が必要なくなる。
【００９７】
その結果、強風回避時の操作が容易かつ迅速になる。
そのうえ、サインボード２１は強風時の風圧を受けないので、サイン面２２のサイン面積を大きくすることができる。
【００９８】
しかも、サインボード２１を拡大した接着マウント４０の端部に対して起倒自在に連結するので、サインボード２１を天板の長辺１５（端縁）に沿うように配置できる。このため、サイン面２２を天板の長辺１５に沿うように配置でき、天板の長辺１５により視界が遮られずにサイン面２２のほぼ全体を見ることができる。したがって、サイン面２２の有効なサイン面積を拡大できる。
【００９９】
そのうえ、図６に示すように、サイン面２２はサインボード２１の起立時にケース本体１１の表面Ｓとほぼ面一になるように配置されるので、計量器上の比較的高い位置に配置されるにも関わらず、サイン面２２全体を見ることができるようになる。
ゆえに、サイン面２２のサイン面積を拡大できるとともに、ほぼ全体を見ることができるようになるので、表示効率が向上し、かつ表示装置としての視認性が向上する。
【０１００】
また、図８に示すように、倒伏時の平面視で、サインボード２１の上端２６が、直近の端縁である背面側の長辺１５より内側になるように設定され、サインボード２１を天板１２の内側に重なるようにしたので、サインボード２１を折りたたんだとき、サインボード２１が天板１２から外へ飛び出さない。その結果、計量器周囲の人や物に対する接触を回避でき、強風時にサインボード２１を倒す作業を安心して行うことができる。
【０１０１】
さらに、図５に示すように、天板１２の周囲を固定する固定具１４の上を覆う拡大した接着マウント４０を設けるとともに、この接着マウント４０の固定具１４に重なる位置に、固定具１４を露出させる逃げ部４２を設けたので、接着マウント４０を天板１２の周囲まで覆っても、逃げ部４２より工具４５を入れて固定具１４を取り外し等の作業ができる。
【０１０２】
したがって、接着マウント４０を大きくしても、計量器１０のメンテナンス時にこれを剥離することなく、接着マウント４０を接着したままの状態で、天板１２を取り外すことができ、かつ逆に取付けすることもでき、メンテナンス性が向上する。
また、固定具１４の位置に制約されることなく、接着マウント４０を天板１２の周囲まで拡大できるので、サインボード２１を起倒自在に連結することが容易になる。
【０１０３】
また、図６に示すように、サインボード２１の起立状態において、サイン面２２をケース本体１１の表面Ｓと面一にしたので、サイン面２２をケース本体１１より外方へ突出しないで最も天板１２の長辺１５近傍へ配置できる。このため、ケース本体１１の長辺１５に遮られることなく、サイン面２２のほぼ全体を見ることができる。したがって、サイン面２２の表示効率が向上し、視認性が向上する。
【０１０４】
なお、ここで面一とは、サイン面２２が完全に表面Ｓと同一平面をなす状態を指すだけでなく、若干のずれは許容するものとする。例えば、取付や作業誤差等を考慮し、ずれがサインボード２１の板厚Ｔの２倍程度以内であれば、ほぼ面一と見なし、許容できるものとする。
【０１０５】
また、起立状態でサイン面２２が表面Ｓと面一であり、倒伏状態で起立時の上端２６が接近する方の長辺１５（例えば、正面側のサインボード２１であれば、背面側の長辺１５）より内側に位置し、かつ下端２５が（例えば、正面側の長辺１５近傍において）、表面Ｓの内側近傍に位置する。したがって、起立状態及び倒伏状態のいずれにおいても、サインボード２１がケース本体１１の外方へ突出しないので、サインボード２１の回動操作が容易になり、かつ外観が向上する。
【０１０６】
さらに、サインボード２１と別体のサインベース３０を設け、これにサインボード２１を起倒自在に連結するとともに、サインベース３０を接着マウント４０へ着脱自在に連結したので、比較的大きく強度のあるサインベース３０へサインボード２１を容易かつ確実に取付けできる。
また、サインベース３０を接着マウント４０へ着脱自在に連結するので、着脱部の自由度が大きくなり、着脱を容易にすることができる。
【０１０７】
また、図６及び図７に示すように、一対のサインボード２１を天板１２の奥行き方向両側の長辺１５に沿って設けたので、従来例の両面に表示するもののように、サイン面積が小さなものに制約され、かつ中央に配置を限定されて表示効率が低下することがない。したがって、正面及び背面側の２面において、十分に大きなサイン面２２のサインボード２１を設けることがでる。
また、向かい合う一対のサインボード２１をそれぞれを重なり合うように折りたたみ可能にしたので、コンパクトに折りたたむことができ、折りたたみ時の外観を良好にできる。
【０１０８】
さらに、折りたたみ時下側になる背面側のサインボード２１を第１ヒンジ５０でサインベース３０の第１支持突起３３へ連結し、折りたたみ時上側になる正面側のサインボード２１を第２ヒンジ５１でサインベース３０の第２支持突起３４へ連結するとともに、第１支持突起３３の高さｈ１よりも第２支持突起３４の高さｈ２を高くした。
【０１０９】
このため、一対のサインボード２１の倒伏状態における高さが異なるので、折りたたむとき、きれいに重ねることができ、倒伏時における折りたたみ状態をコンパクトにし、外観を良好にするとともに、受風面積を小さくして強風回避を確実にできる。
【０１１０】
次に、図９及び図１０に基づいて、表示部を計量器の周囲へ４面で設けた第２実施例を説明する。
図９は各表示部を起立状態にした表示装置の斜視図、図１０はその平面図である。なお、前実施例と共通部分には共通符号を用い、かつ詳細な説明は省略する（以下同じ）。
【０１１１】
この例では、天板１２の周囲４辺に沿って、正面側のサインボード２１Ｆ、背面側のサインボード２１Ｂ、左側面側のサインボード２１Ｌ及び右側面側のサインボード２１Ｒが設けられている。
なお、正面側のサインボード２１Ｆ及び背面側のサインボード２１Ｂ並びにケース本体１１及び天板１２は、前実施例とほぼ同じであり、各サインボード２１Ｆ及び２１Ｂは簡略的に表記してある。
但し、横幅Ｗ３(図１０)は、前実施例よりも長く、天板１２の横幅Ｗ（図４）とほぼ同じ長さになっている。        
【０１１２】
また、各サインボード２１Ｆ及び２１Ｂの天板１２に対する取付けも、前実施例と同様にサインベース３０及び接着マウント４０を介するものであり、第１ヒンジ５０及び第２ヒンジ５１により回動自在になっている点も同じである。
但し、サインベース３０及び接着マウント４０共に、天板１２の左右方向端部近傍まで長く延長形成され、それぞれの横幅もほぼ天板１２の横幅Ｗと同程度である。
【０１１３】
このように、サインベース３０及び接着マウント４０を、天板１２の左右方向端部近傍である短辺１６近傍まで拡大して設けることにより、左側面側のサインボード２１Ｌ及び右側面側のサインボード２１Ｒを短辺１６に沿わせて、かつそれぞれを天板１２の左右方向端部へ片寄せて配置できる。
また、及び正面側のサインボード２１Ｆ及び背面側のサインボード２１Ｂも、それぞれの左右方向端部を短辺１６近傍まで設けることにより、左側面側のサインボード２１Ｌ及び右側面側のサインボード２１Ｒを、それぞれ正面側のサインボード２１Ｆ又は背面側のサインボード２１Ｂの左右方向端部へ折りたたみ可能に連結することが容易になる。
【０１１４】
なお、図示のサインベース３０及び接着マウント４０は簡略的に表記してある。
また、接着マウント４０は固定具１３の上も覆うように拡大されるため、固定具１３と重なる部分には逃げ部４２Ａが形成される。なお、接着マウント４０には、固定具１４と重なる部分に前実施例と同様な逃げ部４２が形成されている（図１０参照）。
【０１１５】
左側面側のサインボード２１Ｌ及び右側面側のサインボード２１Ｒは、天板１２の左右方向端部近傍にて、対向する一対のサインボード２１Ｆと２１Ｂの間に設けられ、それぞれのサイン面２２Ｌ及び２２Ｒを天板１２の外側方へ向けている（この状態を表示状態という）。
各サインボード２１Ｌ及び２１Ｒの奥行きＤ３（図９）は、対向する一対のサインボード２１Ｆ及び２１Ｂにおける各裏面間の距離Ｄ４（図１０）にほぼ等しく、対向する一対のサインボード２１Ｆ及び２１Ｂの間に挟まっている。
【０１１６】
このため、左側面側のサインボード２１Ｌ及び右側面側のサインボード２１Ｒは、起立状態にある正面側のサインボード２１Ｆ及び背面側のサインボード２１Ｂの倒れを防ぐサポート部材として機能し、前実施例におけるリンク式の第１サポート６０及び第２サポート６１は省略されている。
【０１１７】
なお、左側面側のサインボード２１Ｌ及び右側面側のサインボード２１Ｒはそれぞれ、回転軸を縦方向にした第１縦置きヒンジ７０及び第２縦置きヒンジ７２により、回動自在である。
第１縦置きヒンジ７０は、左側面側のサインボード２１Ｌと正面側のサインボード２１Ｆとの接続部に回転軸７１を縦方向にして設けられ、左側面側のサインボード２１Ｌと正面側のサインボード２１Ｆとを連結している。
【０１１８】
第２縦置きヒンジ７２は、右側面側のサインボード２１Ｒと背面側のサインボード２１Ｂとの接続部に回転軸７３を縦方向にして設けられ、右側面側のサインボード２１Ｒと背面側のサインボード２１Ｂとを連結している。
【０１１９】
このため、左側面側のサインボード２１Ｌは、第１縦置きヒンジ７０の回転軸７１を中心にして、正面側のサインボード２１Ｆの裏面へ重なるように回動して折りたたまれることができる。
右側面側のサインボード２１Ｒは、第２縦置きヒンジ７２の回転軸７３を中心にして、背面側のサインボード２１Ｂの裏面へ重なるように回動して折りたたまれることができる。
【０１２０】
なお、第１ヒンジ５０及び第２ヒンジ５１は、それぞれ回転軸を横方向にした横置きヒンジに相当し、背面側のサインボード２１Ｂ及び正面側のサインボード２１Ｆをそれぞれ、横方向（左右方向）の回転軸を中心にして回動させることができる。
【０１２１】
左側面側のサインボード２１Ｌの高さＨ２（図９）は、正面側のサインボード２１Ｆの高さＨ１（図１）よりも第２支持突起３４の高さ（図６のｈ２参照）分だけ短い。すなわち、左側面側のサインボード２１Ｌの上下端は、下端が第２支持突起３４の上にあり、かつ上端が正面側のサインボード２１Ｆ及び背面側のサインボード２１Ｂの各上端と同じになっている。このため、左側面側のサインボード２１Ｌが第１支持突起３３及び第２支持突起３４に邪魔されずに、第１縦置きヒンジ７０の回転軸７１を中心にして正面側のサインボード２１Ｆの上へ折りたたみ可能になっている。
【０１２２】
右側面側のサインボード２１Ｒも同様に高さはＨ２であり、第２縦置きヒンジ７２の回転軸７３を中心にして背面側のサインボード２１Ｂの上へ折りたたみ可能になっている。このとき、右側面側のサインボード２１Ｒは第１支持突起３３及び第２支持突起３４に邪魔されずに、背面側のサインボード２１Ｂの上へ折りたたまれる。
また、背面側のサインボード２１Ｂは右側面側のサインボード２１Ｒが折りたたまれた状態で、第１ヒンジ５０を介して略水平に倒伏できる（図７参照）。このとき、ストッパ３５の高さは右側面側のサインボード２１Ｒの厚さ程度低くなっている。
【０１２３】
一方、正面側のサインボード２１Ｆは左側面側のサインボード２１Ｌが折りたたまれた状態で、第２ヒンジ５１を介して倒伏でき、先に倒伏している背面側のサインボード２１Ｂの上へ略水平に重なる（図７参照）。このとき、第２支持突起３４の高さは、前実施例における高さｈ２に対して左側面側のサインボード２１Ｌの厚さ程度さらに高くなっている。
【０１２４】
左側面側のサインボード２１Ｌ及び右側面側のサインボード２１Ｒを表示状態にすると、奥行き方向の端部のうち、ヒンジで連結されていない側は自由端となる。そこではこの自由端が不用意に開かないようにするため、ロック７５で正面側又は背面側のサインボード２１Ｆ又は２１Ｂへ固定される。
【０１２５】
図９中に丸囲みした拡大部ｂに示すように、ロック７５は、一端を正面側又は背面側のサインボード２１Ｆ又は２１Ｂの左右方向端部へ回動自在に連結する軸７６と、他端側に設けられた係合溝７７を備える。係合溝７７は左側面側のサインボード２１Ｌ又は右側面側のサインボード２１Ｒの側面から突出する係合突部７８へ係脱自在になっている。
【０１２６】
そこで、例えば、左側面側のサインボード２１Ｌをロックするには、ロック７５が係合溝７７の設けられた先端側を下方へ向けて回動し、軸７６から垂下した状態で、自由端を背面側のサインボード２１Ｂの左側端部に合わせる。次いで、軸７６を中心にロック７５を図９において時計回り方向へ略２７０度回動させる。ロック７５が略水平になると係合溝７７に係合突部７８が嵌合することによりロック状態となり、自由端が回動不能になる。
【０１２７】
自由端を解放するには、ロック状態において、ロック７５を図９において反時計回り方向へ回動させると、係合突部７８が係合溝７７から脱出して非ロック状態となり、自由端が解放され、左側面側のサインボード２１Ｌが回動して折りたたみ可能になる。右側面側のサインボード２１Ｒのロックも同様である。
【０１２８】
各４面の表示部を折りたたむときは、図１０に示すように、まず、右側面側のサインボード２１Ｒについて、ロックを解除してから、背面側のサインボード２１Ｂの裏面へ重なるように回動させる。同様に、左側面側のサインボード２１Ｌについて、ロックを解除してから、正面側のサインボード２１Ｆの裏面へ重なるように回動させる。
このとき、左側面側のサインボード２１Ｌと右側面側のサインボード２１Ｒを互いに反対方向へ回動させるのは、折りたたんだとき、双方のサインボード２１Ｌと２１Ｒの各先端部が重ならないようにするためである。
【０１２９】
すなわち、左側面側のサインボード２１Ｌと右側面側のサインボード２１Ｒの各奥行きＤ３（図９）が正面側のサインボード２１Ｆ又は背面側のサインボード２１Ｂの各横幅Ｗ３（図１０）の１／２より大きいため、双方のサインボード２１Ｌ及び２１Ｒを同じ方向へ折りたたむと、各先端側が重なり合ってしまうからである。
【０１３０】
また、左側面側のサインボード２１Ｌ及び右側面側のサインボード２１Ｒはそれぞれサポート部材を兼ねているので、これらが折りたたまれると、背面側のサインボード２１Ｂ及び正面側のサインボード２１Ｆがそれぞれ第１ヒンジ５０及び第２ヒンジ５１により天板１２の上に向かって折りたたみ可能になる。
【０１３１】
そこで、背面側のサインボード２１Ｂを、右側面側のサインボード２１Ｒが重なった状態でサインベース３０の本体部３１上へ向かって一緒に倒伏させる。このとき、サポート部材を兼ねる左側面側のサインボード２１Ｌ及び右側面側のサインボード２１Ｒがすでに折りたたまれているため、背面側のサインボード２１Ｂは、右側面側のサインボード２１Ｒと一緒にサインベース３０の上へ倒伏可能になっている。
【０１３２】
また、正面側のサインボード２１Ｆも倒伏可能になっているので、左側面側のサインボード２１Ｌが重なった状態で一緒に倒伏させ、先に倒伏状態になっている背面側のサインボード２１Ｂのサイン面２２Ｂの上に重ねる。これにより、表示部は４面すべてが折りたたまれた状態になる。
したがって、天板１２の周囲４面にサインボード２１を設けることができるから、表示効率が向上する。
【０１３３】
また、正面側のサインボード２１Ｆ及び背面側のサインボード２１Ｂは、それぞれ横幅を天板１２の横幅Ｗと同程度にできるので、高さＨを奥行きＤと同程度にすれば、これらのサインボード２１のサイン面２２のサイン面積を天板１２の面積と同程度まで大きくすることができる。
【０１３４】
次に、取付脚部を省略した第３実施例を説明する。
図１１及び図１２は、別体の取付脚部を省略した第３実施例であり、図１１は、図３に相当する平面図である。 図１２は、図１１における１２矢示方向から示す要部の拡大側面図である。
【０１３５】
図１１において、サインボード２１は下部に取付突部２８を一体に突出形成してあり、接着マウント４０の正面側端部近傍に形成されている取付突部４６へ回転軸８０で回動自在に連結されている。
接着マウント４０は天板１２のほぼ全体を覆うように拡大され、両面の粘着テープからなる接着部１７で天板１２の上へ固定されている。固定具１３及び１４と重なる部分には逃げ部４２及び４２Ａが形成されている。
【０１３６】
図中の丸囲み部ｃに、サインボード２１の取付突部２８と接着マウント４０の取付突部４６の連結部を展開した斜視図で示す。
サインボード２１の取付突部２８には軸穴２９が貫通形成されている。
一方、接着マウント４０の取付突部４６は、逃げ部４２Ａの近傍に突出形成され、やはり軸穴４７が貫通形成されている。
【０１３７】
これらの取付突部２８と４６を重ね、軸穴２９及び４７を一致させて回転軸８０の一端を差し込むと、サインボード２１は接着マウント４０に対して回動自在に直接連結され回動自在になる。
回転軸８０は連結部に対して抜き差し自在になっており、一端に抜け止めの頭部８１を備え、他端側に係止溝８２が形成されている。
【０１３８】
回転軸８０を連結部の一方側から軸穴２９及び４７に通して、係止溝８２を他方側へ突出させ、サークリップ等の適宜係止部材８３を係合すると、サインボード２１と接着マウント４０は連結される。
また、係止部材８３を取り外すと、回転軸８０を連結部から抜き出して、サインボード２１を接着マウント４０から分離させることができる。すなわち、サインボード２１と接着マウント４０は着脱自在に連結される。
【０１３９】
このようにすると、サインボード２１と別体のサインベース３０を省略し、サインボード２１を接着マウント４０へ直接、着脱自在かつ起倒自在に取付けできる。
なお、係止部材８３は種々可能である。係止部材８３に代えてナットとし、回転軸８０をボルトにすることにより、ボルト・ナット結合とすることもできる。
これにより、サインベース（取付脚部）を省略できる。また、サインボード２１を接着マウント４０から取り外すことができるので、接着マウント４０を天板１２へ接着したままで、逃げ部４２及び４２Ａより固定具１３及び１４を着脱できる。
【０１４０】
次に、対向する表示部の間隔を可変にするとともにサイン面を保護した第４実施例を説明する。図１３〜図１６は第４実施例に係り、図１３は表示装置の展開斜視図、図１４は図１３と同様の正面側表示部部分に関する側面図、図１５は図１４の一部（取付脚部及び接着マウントを主体）を拡大断面で示す図、図１６は取付脚部の平面図（部分）である。
【０１４１】
なお、この例は第１実施例の表示装置に対して、取付脚部及び接着マウントを分割して奥行きを可変とし、かつサイン面を覆う保護カバーを設けることが主要な変更部分であるから、変更のある部分のみに新たな符号を付けて説明するとともに、変更のない共通部は符号をそのまま用い、かつ重複した説明は省略する。
【０１４２】
まず、保護カバーによるサイン面の保護構造を説明する。図１３に示すように、正面（ＦＲ）側及び背面（ＢＲ）にサインボード２１が対向して一対で設けられ、それぞれのサイン面２２を保護カバー５００で覆っている。
また、サインベース３０及び接着マウント４０は、それぞれの奥行き方向中央部で正面（ＦＲ）側部分と背面（ＢＲ）側部分とに分割されている。
【０１４３】
なお、この例におけるサインボード２１は、サイン面２２側のアッパーパネルとその裏面側に間隔を持って重なるロアーパネルを表裏から合わせて一体化した中空のボックス状をなし、左右の端部は閉じられて側端２１Ｓをなしている。ロアーパネルは周囲が段差状に隆起した周枠部をなし、この周枠部のうち下部が裏下縁部２３、上部が裏上縁部２４をなす。また左右部分は側縁部であり、その側端面が側壁２１Ｓをなす。
【０１４４】
保護カバー５００は、サイン面２２に設けられた表示（例えばポスターなど）を保護するために設けられ、サインボード２１をサイン面２２側から被さって覆う略容器状をなし、サイン面２２に重なる主部５４０と、その周囲を囲む立壁状の周壁が設けられている。周壁は上壁５１０、左右の側壁５２０、下壁５３０をなし、それぞれ、サインボード２１の上端２６、左右の側壁２１Ｓ及び下端２５の各外側に重なるようになっている。
【０１４５】
保護カバー５００の主部５４０は透明であり、サイン面２２を透視できるようになっており、この例では保護カバー５００全体が透明なポリカーボネートから構成され、透明性、高強度、難燃性及び軽量化に優れている。但し、主部５４０以外は透明でなくてもよく、かつ金属のような別部材でもよい。少なくとも主部は透明であることを要し、樹脂又はガラスなどの透明素材からなるものとする。
【０１４６】
図１４に示すように、上壁５１０と左右の側壁５２０との接続部である上側コーナー部には、ヒンジ突起５６０がサインボード２１の裏面からさらに裏側へ突出して設けられている。
図中の丸囲み部ｄに示すように、ヒンジ突起５６０は舌片状の部材であり、一部が側壁５２０から突出する突部５６１をなし、ここに取付穴５６２が形成されている。
【０１４７】
他の部分は取付部５６３をなし側壁５２０の上部内側へ重ねられて接着される。
なお、ヒンジ突起５６０の側壁５２０に対する取付は接着に限らず、リベット止め等種々可能である。周壁やヒンジ突起５６０が金属の場合は、溶接等による取付も可能になる。
【０１４８】
一方、保護カバー５００の被さるサインボード２１側には、上端２６と左右の側壁２１Ｓとの接続部であるコーナー部に支持突起５７０が設けられている。支持突起５７０は略Ｌ字形の金属部材であり、その一部がサインボード２１の裏面から突出する突部５７１をなし、ここに取付穴５７２が形成されている。他の部分は取付部５７３をなし、裏上縁部２４に重ねられてネジ止め等で固定される。
【０１４９】
突部５６１及び５７１の突出長さはほぼ同じであり、保護カバー５００をサインボード２１へ被せたとき、ヒンジ突起５６０の突部５６１が支持突起５７０の突部５７１が重なって、取付穴５６２と５７２が一致するようになっている。
そこで、連結部材５８０でヒンジ突起５６０の突部５６１と支持突起５７０の突部５７１を回動可能に連結すると、保護カバー５００は、連結部材５８０を中心に回動し、サイン面２２を覆い又は開放するように開閉自在となる。
【０１５０】
連結部材５８０は、各取付穴５６２及び５７２を通る円柱状の軸部を備え、その一端に傘状に張り出す頭部５８１を設け、他端に円環状の溝５８２を設けたものであり、ヒンジ突起５６０の突部５６１と支持突起５７０の突部５７１が重なった状態で、連結部材５８０の軸部を溝５８２側の端部から取付穴５６２及び５７２に通し、頭部５８１を突部５６１に当接抜け止めし、溝５８２を含む他端を突部５７１から突出させ、この他端の突出部にワッシャ５８３を被せ、さらに溝５８２にＥリング５８４を係合する。
【０１５１】
これにより、ヒンジ突起５６０は支持突起５７０に対して連結部材５８０により回動可能に連結される。また、Ｅリング５８４を外せば、保護カバー５００をサインボード２１から容易に分離できる。しかも、このような着脱自在の連結構造を簡潔に構成できる。
なお、保護カバー５００とサインボード２１の連結構造は、上記に限らず種々可能である。また、Ｅリング５８４に代えてＣリングや、ピンにすることもできる。さらにボルト・ナット式の結合でよい。
【０１５２】
保護カバー５００とサインボード２１は側壁５２０の下部でも連結される。
図中の丸囲み部ｅに示すように、側壁５２０の下部に取付穴５２５が設けられ、この内側に重なるサインボード２１の側壁２１Ｓの下部にも、取付穴５９１が同５２５に一致するように設けられている。そこで、側壁２１Ｓの上に側壁５２０を重ね、それぞれの取付穴５２５と５９１を一致させた状態で連結部材５９０を差し込んで連結することにより、保護カバー５００とサインボード２１が連結される。
【０１５３】
側壁５２０下側の連結は、補助的なものであり、簡単かつ迅速に連結したり取り外しできるようになっている。この例ではネジ止めとしてあるが、抜き差し式のピン等種々な構造が可能である。
【０１５４】
図１４にて実線で示す状態は、保護カバー５００でサインボード２１をサイン面側から覆い、側面上部を連結部材５８０、下部を同５９０で連結した状態を示す。このとき保護カバー５００はサイン面２２を完全に覆って雨や風等から保護でき、かつ主部５４０が透明なため、サイン面２２の表示内容を視認できる。
【０１５５】
また、連結部材５９０を外し、保護カバー５００とサインボード２１の側壁下部を分離すると、連結部材５８０を中心にて保護カバー５００を回動させ、仮想線で示すように略水平にできる。これによりサイン面２２が開放されるので、例えば、ポスターのような表示物６００を交換できる。交換後は、再び保護カバー５００を逆方向へ回動させ、側壁を重ねて下部を連結部材５９０で連結すれば、実線の保護状態となる。
【０１５６】
次に、奥行きの可変構造を説明する。
図１３及び図１５に示すように、サインベース３０は奥行き方向中央部で背面側３０Ａと正面側３０Ｂに分割されている。サインベース３０の背面側３０Ａ及び正面側３０Ｂは、サインベース３０の中央部で重なっている。
【０１５７】
この例におけるサインベース３０は、左右方向端部にもフランジが形成されている。すなわち、背面側３０Ａ及び正面側３０Ｂの各左右方向端部は、下方へ折れ曲がって垂下するフランジ３１ａ及び３１ｂをなす。サインベース３０を接着マウント４０に被せると、接着マウント４０はこれらのフランジ３１ａ及び３１ｂ並びに３２（図１５）に囲まれた空間内へ収容される。
【０１５８】
各フランジ３１ａ及び３１ｂには、第１サポート６０及び第２サポート６１の各図示状態下端部が軸支される支持突起３６ａが設けられている。第１サポート６０及び第２サポート６１の各図示状態上端部はサインボード２１の側縁部から突出するリンク支持部へ軸支されている。
【０１５９】
図１５、特にその丸囲み部ｆに詳しく示すように、背面側３０Ａと正面側３０Ｂは奥行き方向中央部で重なり合って、それぞれスライド部３８及び３９をなしている。
この例では、スライド部３８がスライド部３９の肉厚より若干大きい程度の段差をなし、平板状のスライド部３９の上に重なり、双方のスライド部３８及び３９は、奥行き方向において相対的にスライド移動可能になっている。
【０１６０】
符号３８ａ及び３９ａは、それぞれ背面側３０Ａ及び正面側３０Ｂの先端である。スライド部３８及び３９のスライド移動により、先端３８ａ及び３９ａ間の間隔が変化し、スライド部３８及び３９の重なり程度が変化することにより、奥行きが変化する。
なお、図中の丸囲み部ｆは、各スライド部の重なり構造を示すが、理解を容易にするため各スライド部を密接させず、間隔を持つように誇張してある。
【０１６１】
サインベース３０を支持する接着マウント４０も、サインベース３０と同様に、奥行き方向中央部で背面側４０Ａと正面側４０Ｂに分割されている。また、背面側４０Ａと正面側４０Ｂは奥行き方向中央部で、それぞれのスライド部４８及び４９が重なり合っている。４８ａ及び４９ａはそれぞれの先端である。
【０１６２】
この例では、スライド部４８及び４９はサインベース３０のスライド部３８及び３９を支持するため段差状をなし、それぞれ天板１２側からほぼ直角に上方へ曲がった立ち上がり部４８ｂ及び４９ｂの各上端を、互いに重なり合うように反対側へ略水平に曲げた部分で構成されている。
【０１６３】
段差はスライド部４８側が大きく、立ち上がり部４８ａは接着マウント４０の奥行き方向両端における縦壁４３の高さと同程度になっている。立ち上がり部４９ｂは、同４８ｂより低くなっており、その差はスライド部４９の肉厚より若干大きい程度になっている。
したがって、接着マウント４０もスライド部４８及び４９で、奥行き方向において相対的にスライド移動可能になっている。なお、スライド部４８及び４９は必ずしも、サインベース３０を支持できるような立ち上がり部４８ｂ及び４９ｂを設けた大きな段差状にしなくてもよい。
【０１６４】
また、接着マウント４０の背面側４０Ａと正面側４０Ｂは、それぞれボルト等の固定具１４で天板１２へ固定され、複数の逃げ部４２が設けられている。しかし、接着マウント４０の背面側４０Ａと正面側４０Ｂがそれぞれ奥行き方向へ移動可能なため、逃げ部４２は長穴等の接着マウント側における移動を可能にする形状になっている。
このように、サインベース３０及び接着マウント４０の奥行き方向中央部を分割し、それぞれ一部をスライド可能に重ねると、サインベース３０及び接着マウント４０の奥行きを可変にすることができる。
【０１６５】
図１６はこの奥行き調節を説明するためのものである。この図において、サインベース３０の背面側３０Ａを矢示ａのように背面ＢＫ側へ移動させ、正面側３０Ｂを矢示ｂのように正面ＦＲ側へ移動させる。
すると、天板１２の背面側長辺１５に臨む背面側３０Ａの辺はＯで示す実線位置から、矢示ｃのように仮想線Ｐの位置へ移動する。反対に、天板１２の正面側長辺１５に臨む正面側３０Ｂの辺はＱで示す実線位置から、矢示ｄのように仮想線Ｒの位置へ移動する。
【０１６６】
奥行き方向中央のスライド部では、背面側のスライド部３８の先端３８ａが仮想線の３８Ａの位置へスライド移動し、正面側のスライド部３９の先端３９ａが矢示ｅのように仮想線の３９Ａの位置へスライド移動し、スライド部２８と３８相互の奥行き方向における重なり合いが少なくなる。
その結果、ＯＱ間の距離である奥行きＤ５が、ＰＲ間の距離である当初の奥行きＤ６に変化し、奥行きが拡大される。
【０１６７】
また、上記はサインベース３０の奥行きをＤ５からＤ６のように拡大する例であるが、スライド部３８及び３９におけるスライド調節により、逆に、サインベース３０の奥行きをＤ６からＤ５のように狭めることも可能になる。
【０１６８】
なお、接着マウント４０はサインベース３０を取付ける前に、予め天板１２に対して、サインベース３０と同様のスライド部４８、４９におけるスライド調整をして奥行きを適正に変化させてから、接着剤により固定しておく。
【０１６９】
図１６はサインベース３０の一部を切り欠いて、その下に位置する接着マウント４０の逃げ部４２を示してあり、逃げ部４２は長穴状や、三角形状等の固定具１４より大きな異形形状の穴にしてある。これにより接着マウント４０の奥行きが変化しても固定具１４を操作してメンテナンスが可能になるようになっている。
【０１７０】
このように、計量器１０の機種が異なるものに変更されて天板１２の奥行きＤが変化しても、サインベース３０及び接着マウント４０の奥行きを調整することにより対応でき、サインベース３０及び接着マウント４０を作り直す必要がないので、汎用性を増すことができる。
【０１７１】
なお、本願発明は上記の各実施例に限定されるものではなく、発明の原理内において種々に変形や応用が可能である。
例えば、表示部の数は、第１実施例の２面、第２実施例の４面に対して、１面又は３面とすることが可能である。１面とする場合は、第１実施例において、例えば、計量器１０の背面側が殆ど操作できない場合、正面側のみに設けるようにするものである。
【０１７２】
また、表示部を３面に設ける場合は、第２実施例において、例えば、計量器１０の左右いずれか側面側が塞がれる等して表示部を設ける必要がない場合、この側の表示部を省略するものである。
さらに、第４実施例において、サインベース３０及び接着マウント４０は、奥行き方向の幅を調整するだけでなく、横幅方向の調整をするようにすることもできる。
【符号の説明】
【０１７３】
１０：計量器、１１：ケース本体、１２：天板、１３：固定具、１４：固定具、１５：長辺、１６：短辺、１７：接着部、２０：表示装置、２１：サインボード（表示部）、２２：サイン面（表示面）、２５：下端、２６：上端、３０：サインベース、３３：第１支持突起、３４：第２支持突起、４０：接着マウント、４５：工具、５０：第１ヒンジ、５１：第２ヒンジ、６０：第１サポート、６１：第２サポート、７０・７２：ヒンジ、８０：回転軸
【要約】
【課題】ガソリンスタンドの計量器の上に設ける表示装置を、強風でも取り外す必要をなくし、かつ、サイン面を大きくして視認性を向上させる。
【構成】計量器１０の上部へ着脱自在に取付けられる天板１２と、この上に接着された接着マウント４０と、この接着マウント４０に対して着脱自在に設けられる表示装置２０とを備える。接着マウント４０を天板１２の周縁部における長辺１５近傍まで設け、この接着マウント４０の端部に表示装置２０のサインボード２１を起倒自在に連結して可倒式表示装置にするとともに、起立状態にしたサインボード２１のサイン面２２を、天板１２の長辺１５に沿うように配置する。強風になると、速やかにサインボード２１を倒し、強風を避ける。また、サイン面２２が長辺１５に沿うため、ほぼ全体が見えるようになり、視認性が向上する。
【選択図】図６【図１】
0006735525.tif 000002
【図２】
0006735525.tif 000003
【図３】
0006735525.tif 000004
【図４】
0006735525.tif 000005
【図５】
0006735525.tif 000006
【図６】
0006735525.tif 000007
【図７】
0006735525.tif 000008
【図８】
0006735525.tif 000009
【図９】
0006735525.tif 000010
【図１０】
0006735525.tif 000011
【図１１】
0006735525.tif 000012
【図１２】
0006735525.tif 000013
【図１３】
0006735525.tif 000014
【図１４】
0006735525.tif 000015
【図１５】
0006735525.tif 000016
【図１６】
0006735525.tif 000017
【図１７】
0006735525.tif 000018
【図１８】
0006735525.tif 000019